(57)【要約】  【課題】  ＡＣＣのＯＮ起動時におけるディスク再生部の制御動作にバリエーションがない。  【解決手段】  映像信号を記録したディスクを再生するディスク再生部１１を備えたセンタユニット１０と、再生した映像信号を映像出力するリアモニタ装置２０とを有する車載用映像システム１であって、センタユニットは、ＡＣＣのＯＮ起動を検出するＡＣＣ監視部１８Ｂと、ＡＣＣのＯＮ起動時に実行するディスク再生部への再生フラグを予め複数記憶したＲＡＭ１５と、複数の再生フラグの内、任意の再生フラグを指定するフロント側操作パネル１４と、ＡＣＣのＯＮ起動を検出すると、予め指定した再生フラグに基づき、ディスク再生部１１の制御動作を実行する制御部１８Ａとを有している。【選択図】  図１
2006092620.tif 000002
【特許請求の範囲】
【請求項１】
映像信号を記録した記録媒体を再生する再生手段と、この再生手段にて再生した映像信号を映像出力するモニタ表示手段とを有する車載用映像再生装置であって、
車両のアクセサリ電源のＯＮ起動を検出する電源監視手段と、
前記アクセサリ電源のＯＮ起動時に実行する前記再生手段への動作指示を予め複数記憶した動作指示記憶手段と、
前記複数の動作指示の内、任意の動作指示を指定する指定手段と、
前記電源監視手段にて前記アクセサリ電源のＯＮ起動を検出すると、前記指定手段にて予め指定した任意の動作指示に基づき、前記再生手段の制御動作を実行する制御手段とを有することを特徴とする車載用映像再生装置。
【請求項２】
前記再生手段による前記記録媒体の再生停止時に同記録媒体のラスト再生位置を記憶するラスト再生位置記憶手段を有し、
前記動作指示記憶手段に予め記憶した複数の動作指示は、
前記再生手段による前記ラスト再生位置からの再生動作を指示する通常再生指示と、前記再生手段による前記ラスト再生位置での一時停止動作を指示する一時停止指示と、前記再生手段による前記ラスト再生位置から巻き戻し、その巻き戻した再生位置からの再生動作を指示する特殊再生指示とを有することを特徴とする請求項１記載の車載用映像再生装置。
【請求項３】
前記特殊再生指示は、
前記再生手段による前記ラスト再生位置よりも所定時間分巻き戻し、この巻き戻した再生位置からの再生動作を指示する時間型特殊再生指示と、
前記再生手段による前記ラスト再生位置に該当するチャプタ内の先頭再生位置まで巻き戻し、この巻き戻した再生位置からの再生動作を指示するチャプタ型特殊再生指示とを有することを特徴とする請求項２記載の車載用映像再生装置。
【請求項４】
前記制御手段は、
前記指定手段による前記チャプタ型特殊再生指示の指定中に、前記電源監視手段にて前記アクセサリ電源のＯＮ起動を検出すると、前記再生手段にて再生する前記記録媒体の設定内容を確認し、同設定内容にチャプタ機能がない場合は前記再生手段の再生動作を一時停止することを特徴とする請求項３記載の車載用映像再生装置。
【請求項５】
前記車両の後部座席の着座を検出する着座検出手段を配置し、
前記制御手段は、
前記電源監視手段にて前記アクセサリ電源のＯＮ起動を検出したとしても、前記着座検出手段による前記後部座席の着座が検出されない場合は、前記指定手段にて指定中の動作指示に関係なく、前記再生手段の再生動作を一時停止することを特徴とする請求項１、２、３又は４記載の車載用映像再生装置。
【請求項６】
映像信号を記録した記録媒体を再生する再生手段と、この再生手段にて再生した映像信号を映像出力するモニタ表示手段とを有する車載用映像再生装置であって、
前記モニタ表示手段への電源のＯＮ起動操作を検出する起動操作検出手段と、
前記電源のＯＮ起動時に実行する前記再生手段への動作指示を予め複数記憶した動作指示記憶手段と、
前記複数の動作指示の内、任意の動作指示を指定する指定手段と、
前記起動操作検出手段にて前記ＯＮ起動操作を検出すると、前記指定手段にて予め指定した任意の動作指示に基づき、前記再生手段の制御動作を実行する制御手段とを有することを特徴とする車載用映像再生装置。
【請求項７】
前記再生手段による前記記録媒体の再生停止時に同記録媒体のラスト再生位置を記憶するラスト再生位置記憶手段を有し、
前記動作指示記憶手段に予め記憶した複数の動作指示は、
前記再生手段による前記ラスト再生位置からの再生動作を指示する通常再生指示と、前記再生手段による前記ラスト再生位置での一時停止動作を指示する一時停止指示と、前記再生手段による前記ラスト再生位置から巻き戻し、その巻き戻した再生位置からの再生動作を指示する特殊再生指示とを有することを特徴とする請求項６記載の車載用映像再生装置。
【請求項８】
前記特殊再生指示は、
前記再生手段による前記ラスト再生位置よりも所定時間分巻き戻し、この巻き戻した再生位置からの再生動作を指示する時間型特殊再生指示と、
前記再生手段による前記ラスト再生位置に該当するチャプタ内の先頭再生位置まで巻き戻し、この巻き戻した再生位置からの再生動作を指示するチャプタ型特殊再生指示とを有することを特徴とする請求項７記載の車載用映像再生装置。
【請求項９】
前記制御手段は、
前記指定手段による前記チャプタ型特殊再生指示の指定中に、前記起動操作検出手段にて前記ＯＮ起動操作を検出すると、前記再生手段にて再生する前記記録媒体の設定内容を確認し、同設定内容にチャプタ機能がない場合は前記再生手段の再生動作を一時停止することを特徴とする請求項８記載の車載用映像再生装置。
【請求項１０】
前記車両の後部座席の着座を検出する着座検出手段を配置し、
前記制御手段は、
前記起動操作検出手段にて前記ＯＮ起動操作を検出したとしても、前記着座検出手段による前記後部座席の着座が検出されない場合は、前記指定手段にて指定中の動作指示に関係なく、前記再生手段の再生動作を一時停止することを特徴とする請求項６、７、８又は９記載の車載用映像再生装置。
【発明の詳細な説明】
【技術分野】
【０００１】
本発明は、車両に搭載され、例えばＣＤ、ＤＶＤやＨＤＤ等の記録媒体に記録した映像信号を再生し、この再生した映像信号を映像出力する機能を備えた車載用映像再生装置に関する。
【背景技術】
【０００２】
従来、このような車載用映像再生装置としては、車両のアクセサリ電源（以下、単にＡＣＣと称する）の電力供給を受け、例えばＣＤやＤＶＤ等の記録媒体に記録した所望の映像信号を再生し、この再生した映像信号をモニタ表示部に映像出力することで、運転者や後部座席の同乗者等に所望の映画等の映像を提供するシステムが広く普及している（例えば特許文献１参照）。
【０００３】
このような車載用映像再生装置によれば、所望の映像を記録した記録媒体を再生することで、同映像を車室内で楽しむことができる。
【０００４】
また、このような車載用映像再生装置によれば、例えばＤＶＤの再生中に車両から離れるような場合はＡＣＣをＯＦＦ操作してＡＣＣをＯＦＦし、この再生中のＤＶＤの再生を中断してラスト再生位置を記憶し、同車載用映像再生装置の電源をＯＦＦするようにしたので、ユーザは、ＡＣＣをＯＦＦ操作するだけで車載用映像再生装置の電源もＯＦＦすることができる。
【０００５】
さらに、車載用映像再生装置によれば、再度、ＡＣＣがＯＮ起動されると、同車載用映像再生装置の電源をＯＮ起動し、前回中断したラスト再生位置から同ＤＶＤの再生動作を自動的に開始するようにしたので、ユーザは、ＡＣＣをＯＮ操作するだけで中断前の再生位置からの再生動作を自動的に開始することができる。
【特許文献１】特開２００３−２３７４８３号公報(図１及び要約書参照)
【発明の開示】
【発明が解決しようとする課題】
【０００６】
しかしながら、上記従来の車載用映像再生装置によれば、再度、ＡＣＣをＯＮ起動すると、同車載用映像再生装置の電源をＯＮ起動し、前回中断したラスト再生位置から同ＤＶＤの再生動作を自動的に開始することになるが、同ラスト再生位置からの再生動作以外の動作を実行する選択余地がないため、例えば視聴者は、車室内の座席に座る前に映像再生が開始されてしまい、その結果、元のラスト再生位置まで巻き戻す操作が必要となる。
【０００７】
本発明は上記点に鑑みてなされたものであり、その目的とするところは、ＡＣＣのＯＮ起動時に実行する再生手段の制御動作にバリエーションを持たせることができる車載用映像再生装置を提供することにある。
【課題を解決するための手段】
【０００８】
上記目的を達成するために本発明の車載用映像再生装置は、映像信号を記録した記録媒体を再生する再生手段と、この再生手段にて再生した映像信号を映像出力するモニタ表示手段とを有する車載用映像再生装置であって、車両のアクセサリ電源のＯＮ起動を検出する電源監視手段と、前記アクセサリ電源のＯＮ起動時に実行する前記再生手段への動作指示を予め複数記憶した動作指示記憶手段と、前記複数の動作指示の内、任意の動作指示を指定する指定手段と、前記電源監視手段にて前記アクセサリ電源のＯＮ起動を検出すると、前記指定手段にて予め指定した任意の動作指示に基づき、前記再生手段の制御動作を実行する制御手段とを有するようにした。
【０００９】
本発明の車載用映像再生装置は、前記再生手段による前記記録媒体の再生停止時に同記録媒体のラスト再生位置を記憶するラスト再生位置記憶手段を有し、前記動作指示記憶手段に予め記憶した複数の動作指示は、前記再生手段による前記ラスト再生位置からの再生動作を指示する通常再生指示と、前記再生手段による前記ラスト再生位置での一時停止動作を指示する一時停止指示と、前記再生手段による前記ラスト再生位置から巻き戻し、その巻き戻した再生位置からの特殊再生動作を指示する特殊再生指示とを有するようにした。
【００１０】
本発明の車載用映像再生装置は、前記特殊再生指示が、前記再生手段による前記ラスト再生位置よりも所定時間分巻き戻し、この巻き戻した再生位置からの再生動作を指示する時間型特殊再生指示と、前記再生手段による前記ラスト再生位置に該当するチャプタ内の先頭再生位置まで巻き戻し、この巻き戻した再生位置からの再生動作を指示するチャプタ型特殊再生指示とを有するようにした。
【００１１】
本発明の車載用映像再生装置は、前記制御手段が、前記指定手段による前記チャプタ型特殊再生指示の指定中に、前記電源監視手段にて前記アクセサリ電源のＯＮ起動を検出すると、前記再生手段にて再生する前記記録媒体の設定内容を確認し、同設定内容にチャプタ機能がない場合は前記再生手段の再生動作を一時停止するようにした。
【００１２】
本発明の車載用映像再生装置は、前記車両の後部座席の着座を検出する着座検出手段を配置し、前記制御手段は、前記電源監視手段にて前記アクセサリ電源のＯＮ起動を検出したとしても、前記着座検出手段による前記後部座席の着座が検出されない場合は、前記指定手段にて指定中の動作指示に関係なく、前記再生手段の再生動作を一時停止するようにした。
【００１３】
本発明の車載用映像再生装置は、映像信号を記録した記録媒体を再生する再生手段と、この再生手段にて再生した映像信号を映像出力するモニタ表示手段とを有する車載用映像再生装置であって、前記モニタ表示手段への電源のＯＮ起動操作を検出する起動操作検出手段と、前記電源のＯＮ起動時に実行する前記再生手段への動作指示を予め複数記憶した動作指示記憶手段と、前記複数の動作指示の内、任意の動作指示を指定する指定手段と、前記起動操作検出手段にて前記電源のＯＮ起動操作を検出すると、前記指定手段にて予め指定した任意の動作指示に基づき、前記再生手段の制御動作を実行する制御手段とを有するようにした。
【００１４】
本発明の車載用映像再生装置は、前記再生手段による前記記録媒体の再生停止時に同記録媒体のラスト再生位置を記憶するラスト再生位置記憶手段を有し、前記動作指示記憶手段に予め記憶した複数の動作指示は、前記再生手段による前記ラスト再生位置からの再生動作を指示する通常再生指示と、前記再生手段による前記ラスト再生位置での一時停止動作を指示する一時停止指示と、前記再生手段による前記ラスト再生位置から巻き戻し、その巻き戻した再生位置からの再生動作を指示する特殊再生指示とを有するようにした。
【００１５】
本発明の車載用映像再生装置は、前記特殊再生指示が、前記再生手段による前記ラスト再生位置よりも所定時間分巻き戻し、この巻き戻した再生位置からの再生動作を指示する時間型特殊再生指示と、前記再生手段による前記ラスト再生位置に該当するチャプタ内の先頭再生位置まで巻き戻し、この巻き戻した再生位置からの再生動作を指示するチャプタ型特殊再生指示とを有するようにした。
【００１６】
本発明の車載用映像再生装置は、前記制御手段が、前記指定手段による前記チャプタ型特殊再生指示の指定中に、前記起動操作検出手段にて前記ＯＮ起動操作を検出すると、前記再生手段にて再生する前記記録媒体の設定内容を確認し、同設定内容にチャプタ機能がない場合は前記再生手段の再生動作を一時停止するようにした。
【００１７】
本発明の車載用映像再生装置は、前記車両の後部座席の着座を検出する着座検出手段を配置し、前記制御手段は、前記起動操作検出手段にて前記ＯＮ起動操作を検出したとしても、前記着座検出手段による前記後部座席の着座が検出されない場合は、前記指定手段にて指定中の動作指示に関係なく、前記再生手段の再生動作を一時停止するようにした。
【発明の効果】
【００１８】
上記のように構成された本発明の車載用映像再生装置によれば、前記アクセサリ電源のＯＮ起動時に実行する再生手段への複数の動作指示を予め記憶し、前記複数の動作指示の内、任意の動作指示を指定しておき、前記アクセサリ電源のＯＮ起動を検出すると、予め指定した任意の動作指示に基づき、前記再生手段の制御動作を実行するようにしたので、アクセサリ電源のＯＮ起動時に実行する再生手段の制御動作にバリエーションを持たせることができる。
【００１９】
本発明の車載用映像再生装置によれば、前記複数の動作指示として、前記再生手段によるラスト再生位置からの再生動作を指示する通常再生指示と、前記再生手段によるラスト再生位置での一時停止動作を指示する一時停止指示と、前記再生手段によるラスト再生位置から巻き戻し、その巻き戻した再生位置からの再生動作を指示する特殊再生指示とを有するようにしたので、例えば一時停止指示や特殊再生指示を指定しておくことで、アクセサリ電源がＯＮ起動したとしても、一時停止指示や特殊再生指示に基づき再生手段の制御動作を実行することになり、その結果、ユーザは、車室内の座席、例えば後部座席に座る前にラスト再生位置からの再生動作が開始されてしまうような事態を確実に防止することができる。
【００２０】
本発明の車載用映像再生装置によれば、前記特殊再生指示として、前記再生手段によるラスト再生位置よりも所定時間分巻き戻し、この巻き戻した再生位置からの再生動作を指示する時間型特殊再生指示と、前記再生手段によるラスト再生位置に該当するチャプタ内の先頭再生位置まで巻き戻し、この巻き戻した再生位置からの再生動作を指示するチャプタ型特殊再生指示とを有するようにしたので、例えば時間型特殊再生指示やチャプタ型特殊再生指示を指定しておくことで、アクセサリ電源がＯＮ起動したとしても、時間型特殊再生やチャプタ型特殊再生に基づき再生手段の制御動作を実行することになり、その結果、ユーザは、車室内の座席、例えば後部座席に座る前にラスト再生位置からの再生動作が開始されてしまうような事態を確実に防止することができる。
【００２１】
本発明の車載用映像再生装置によれば、前記チャプタ型特殊再生指示の指定中に前記アクセサリ電源のＯＮ起動を検出すると、前記再生手段にて再生する前記記録媒体の設定内容を確認し、同設定内容にチャプタ機能がない場合は前記再生手段の再生動作を一時停止するようにしたので、チャプタ機能がない記録媒体に対しても対応可能である。
【００２２】
本発明の車載用映像再生装置によれば、車両の後部座席の着座を検出する着座検出手段を配置し、前記アクセサリ電源のＯＮ起動を検出したとしても、前記着座検出手段による前記後部座席の着座が検出されない場合は、前記指定中の動作指示に関係なく、前記再生手段の再生動作を一時停止するようにしたので、アクセサリ電源がＯＮ起動されたとしても、視聴者である後部座席の同乗者が座席に座る前に、ラスト再生位置からの再生動作が開始されてしまうような事態を確実に防止することができる。
【００２３】
上記のように構成された本発明の車載用映像再生装置によれば、前記モニタ表示手段への電源ＯＮ起動時に実行する再生手段への複数の動作指示を予め記憶し、前記複数の動作指示の内、任意の動作指示を指定しておき、前記モニタ表示手段への電源ＯＮ起動操作を検出すると、予め指定した任意の動作指示に基づき、前記再生手段の制御動作を実行するようにしたので、前記モニタ表示手段への電源のＯＮ起動時に実行する再生手段の制御動作にバリエーションを持たせることができる。
【００２４】
本発明の車載用映像再生装置によれば、前記複数の動作指示として、前記再生手段によるラスト再生位置からの再生動作を指示する通常再生指示と、前記再生手段によるラスト再生位置での一時停止動作を指示する一時停止指示と、前記再生手段によるラスト再生位置から巻き戻し、その巻き戻した再生位置からの再生動作を指示する特殊再生指示とを有するようにしたので、例えば一時停止指示や特殊再生指示を指定しておくことで、モニタ表示手段への電源ＯＮ起動操作が行われたとしても、一時停止指示や特殊再生指示に基づき再生手段の制御動作を実行することになり、その結果、ユーザは、車室内の座席、例えば後部座席に座る前にラスト再生位置からの再生動作が開始されてしまうような事態を確実に防止することができる。
【００２５】
本発明の車載用映像再生装置によれば、前記特殊再生指示として、前記再生手段によるラスト再生位置よりも所定時間分巻き戻し、この巻き戻した再生位置からの再生動作を指示する時間型特殊再生指示と、前記再生手段によるラスト再生位置に該当するチャプタ内の先頭再生位置まで巻き戻し、この巻き戻した再生位置からの再生動作を指示するチャプタ型特殊再生指示とを有するようにしたので、例えば時間型特殊再生指示やチャプタ型特殊再生指示を指定しておくことで、モニタ表示手段への電源ＯＮ起動操作が行われたとしても、時間型特殊再生やチャプタ型特殊再生に基づき再生手段の制御動作を実行することになり、その結果、ユーザは、車室内の座席、例えば後部座席に座る前にラスト再生位置からの再生動作が開始されてしまうような事態を確実に防止することができる。
【００２６】
本発明の車載用映像再生装置によれば、前記チャプタ型特殊再生指示の指定中に前記モニタ表示手段への電源ＯＮ起動操作を検出すると、前記再生手段にて再生する前記記録媒体の設定内容を確認し、同設定内容にチャプタ機能がない場合は前記再生手段の再生動作を一時停止するようにしたので、チャプタ機能がない記録媒体に対しても対応可能である。
【００２７】
本発明の車載用映像再生装置によれば、車両の後部座席の着座を検出する着座検出手段を配置し、前記モニタ表示手段への電源ＯＮ起動操作を検出したとしても、前記着座検出手段による前記後部座席の着座が検出されない場合は、前記指定中の動作指示に関係なく、前記再生手段の再生動作を一時停止するようにしたので、モニタ表示手段への電源がＯＮ起動操作されたとしても、視聴者である後部座席の同乗者が座席に座る前に、ラスト再生位置からの再生動作が開始されてしまうような事態を確実に防止することができる。
【発明を実施するための最良の形態】
【００２８】
以下、図面に基づいて本発明の車載用映像再生装置に関わる実施の形態を示す車載用映像システムについて説明する。図１は本実施の形態を示す車載用映像システム内部の概略構成を示すブロック図である。
【００２９】
図１に示す車載用映像システム１は、車室内のフロントパネルに配置されたセンタユニット１０と、後部座席側に配置されたリアモニタ装置２０と、これらセンタユニット１０及びリアモニタ装置２０に電力を供給するアクセサリ電源（以下、単にＡＣＣと称する）３０とを有している。
【００３０】
センタユニット１０は、例えばＤＶＤ、ＣＤやＨＤＤ等のディスクに記録した映像信号を再生出力するディスク再生部１１と、このディスク再生部１１にて再生した映像信号に映像処理を施す映像処理ＩＣ１２と、映像処理ＩＣ１２にて映像処理を施された映像信号を映像出力するフロント側表示部１３と、様々な指令を入力するフロント側操作パネル１４と、様々な情報を記憶するＲＡＭ１５と、リアモニタ装置２０を通信制御するサブＣＰＵ１６と、後部座席の着座を検出するリアシート監視センサ１７と、このセンタユニット１０全体を制御するＣＰＵ１８とを有している。
【００３１】
ディスク再生部１１は、例えばＤＶＤ、ＨＤＤやＣＤ等のディスクに記録した映像信号を再生出力するものである。
【００３２】
映像処理ＩＣ１２は、ディスク再生部１１にて再生出力した映像信号に、フロント側表示部１３に適合した映像処理を施し、この映像処理を施した映像信号をフロント側表示部１３に伝送すると共に、この映像信号をリアモニタ装置２０内のリア側表示部２２に伝送するものである。
【００３３】
ＣＰＵ１８は、センタユニット１０全体を制御する制御部１８Ａと、ＡＣＣ３０のＯＮ／ＯＦＦを監視するＡＣＣ監視部１８Ｂとを有している。
【００３４】
リアモニタ装置２０は、センタユニット１０の映像処理ＩＣ１２と通信接続し、この映像処理ＩＣ１２からの映像信号に映像処理を施す映像処理ブロック２１と、この映像処理ブロック２１にて映像処理を施された映像信号を映像出力するリア側表示部２２と、様々な指令を入力するリア側操作パネル２３と、センタユニット１０側のサブＣＰＵ１８と通信接続し、このリアモニタ装置２０全体を制御するマイコン２４とを有している。
【００３５】
映像処理ブロック２１は、センタユニット１０の映像処理ＩＣ１２からの映像信号に、リア側表示部２２に適合した映像処理を施し、この映像処理を施した映像信号をリア側表示部２２に伝送するものである。
【００３６】
図２はセンタユニット１０のＲＡＭ１５内部のメモリ内容を示す説明図である。
【００３７】
図２においてＲＡＭ１５は、ＡＣＣ３０のＯＮ起動時にディスク再生部１１への動作指示を指定する複数の再生フラグの設定状態を記憶管理すると共に、ディスク再生部１１で再生するディスクのディスク情報を記憶管理するものである。
【００３８】
ディスク情報は、ディスク再生部１１で再生するディスクのチャプタ機能を含むコンテンツ情報や、現在のディスク再生位置や、再生中断時のラスト再生位置等を含むものである。
【００３９】
さらに、再生フラグは、ディスク再生部１１によるラスト再生位置からの再生動作をＯＮ又はＯＦＦ指示する通常再生フラグと、ディスク再生部１１によるラスト再生位置でのポーズ動作をＯＮ又はＯＦＦ指示するポーズ再生フラグと、ディスク再生部１１によるラスト再生位置から所定時間分巻き戻し、この巻き戻した再生位置からの再生動作をＯＮ又はＯＦＦ指示する時間型特殊再生フラグと、ディスク再生部１１によるラスト再生位置に該当するチャプタ内の先頭再生位置まで巻き戻し、この巻き戻した再生位置からの再生動作をＯＮ又はＯＦＦ指示するチャプタ型特殊再生フラグとを有している。尚、時間型特殊再生フラグによる巻き戻す所定時間は適宜設定変更可能であり、プリセット設定も可能である。
【００４０】
センタユニット１０のＣＰＵ１８は、フロント側操作パネル１４を通じて通常再生フラグ、ポーズ再生フラグ、時間型特殊再生フラグ及びチャプタ型特殊再生フラグをＯＮ又はＯＦＦ設定するものである。尚、これら通常再生フラグ、ポーズ再生フラグ、時間型特殊再生フラグ及びチャプタ型特殊再生フラグの内、フロント側操作パネル１４の操作でＯＮ指定されるのは一つだけであるが、これら通常再生フラグ、ポーズ再生フラグ、時間型特殊再生フラグ及びチャプタ型特殊再生フラグ全部がＯＦＦ指定されることもある。
【００４１】
ＣＰＵ１８の制御部１８Ａは、通常再生フラグのＯＮ設定中に、ＡＣＣ監視部１８ＢにてＡＣＣ３０のＯＮ起動を検出すると、ディスク再生部１１によるディスクの再生動作を開始し、同ディスクの映像信号をフロント側表示部１３及びリアモニタ装置２０のリア側表示部２２に映像出力させるものである。
【００４２】
制御部１８Ａは、ポーズ再生フラグのＯＮ設定中に、ＡＣＣ監視部１８ＢにてＡＣＣ３０のＯＮ起動を検出すると、ディスク再生部１１によるディスクのポーズ動作を開始し、フロント側操作パネル１４（又はリア側操作パネル２３）を通じてポーズの解除操作があるまで同ポーズ動作を継続するものである。
【００４３】
制御部１８Ａは、時間型特殊再生フラグのＯＮ設定中に、ＡＣＣ監視部１８ＢにてＡＣＣ３０のＯＮ起動を検出すると、ディスク再生部１１によるディスクのラスト再生位置から所定時間分巻き戻し、この巻き戻した再生位置からの再生動作を開始し、同ディスクの映像信号をフロント側表示部１３及びリアモニタ装置２０のリア側表示部２２に映像出力するものである。
【００４４】
制御部１８Ａは、チャプタ型特殊再生フラグのＯＮ設定中に、ＡＣＣ監視部１８ＢにてＡＣＣ３０のＯＮ起動を検出すると、ディスク再生部１１によるディスクのラスト再生位置に該当するチャプタ内の先頭再生位置まで巻き戻し、この巻き戻した先頭再生位置からの再生動作を開始し、同ディスクの映像信号をフロント側表示部１３及びリアモニタ装置２０のリア側表示部２２に映像出力するものである。
【００４５】
また、制御部１８Ａでは、リアモニタ装置２０の電源ＯＦＦ中であっても、同リアモニタ装置２０のリア側操作パネル２３による電源ＯＮ操作を監視しているものとする。
【００４６】
尚、請求項記載の車載用映像再生装置は車載用映像システム１、記録媒体はディスク、再生手段はディスク再生部１１、モニタ表示手段はリアモニタ装置２０、フロント側表示部１３及びリア側表示部２２、電源監視手段はＡＣＣ監視部１８Ｂ、動作指示記憶手段及びラスト再生位置記憶手段はＲＡＭ１５、指定手段はフロント側操作パネル１４及びリア側操作パネル２３、制御手段及び起動操作検出手段は制御部１８Ａ、通常再生指示は通常再生フラグ、一時停止指示はポーズ再生フラグ、時間型特殊再生指示は時間型特殊再生フラグ、チャプタ型特殊再生指示はチャプタ型特殊再生フラグに相当するものである。
【００４７】
次に本実施の形態を示す車載用映像システム１の動作について説明する。図３は本実施の形態に関わるセンタユニット１０のＡＣＣ起動時映像再生処理に関わるＣＰＵ１８の処理動作を示すフローチャートである。
【００４８】
図３に示すＡＣＣ起動時映像再生処理とは、ＡＣＣ３０のＯＮ起動を検出すると、設定中の再生フラグに基づき、ディスク再生部１１の制御動作を実行する処理である。
【００４９】
図３においてセンタユニット１０側のＣＰＵ１８の制御部１８Ａは、例えばディスク再生部１１にてディスク再生中に、ＡＣＣ監視部１８Ｂを通じてＡＣＣ３０のＯＦＦを検出したか否かを判定する（ステップＳ１１）。
【００５０】
制御部１８Ａは、ＡＣＣ３０のＯＦＦを検出すると、ディスク再生部１１のラスト再生位置をＲＡＭ１５に記憶してディスク再生部１１の再生動作を停止すると共に、リアモニタ装置２０への電力供給をＯＦＦする（ステップＳ１２）。
【００５１】
次に制御部１８Ａは、ＡＣＣ監視部１８ＢにてＡＣＣ３０のＯＮ起動を検出したか否かを判定する（ステップＳ１３）。制御部１８Ａは、ＡＣＣ３０のＯＮ起動を検出したのであれば、ディスク再生部１１に装着中のディスク情報を検出する（ステップＳ１４）。
【００５２】
制御部１８Ａは、この検出した現在装着中のディスクのディスク情報とＲＡＭ１５に記憶中のディスク情報とを比較し、ディスク変更があったか否かを判定する（ステップＳ１５）。尚、ステップＳ１５の処理は、ＡＣＣ３０のＯＦＦ中にバックアップイジェクト操作でディスクが排出されている場合も考えられるため、ディスク変更があったか否かを判断するものである。
【００５３】
制御部１８Ａは、ディスク変更があったと判定されると、通常通り、ディスク再生動作の開始操作を待つべく、この映像再生処理の処理動作を終了する。
【００５４】
制御部１８Ａは、ステップＳ１５にてディスク変更がないと判定されると、リアモニタ装置２０への電力供給をＯＮにし（ステップＳ１６）、通常再生フラグがＯＮであるか否かを判定する（ステップＳ１７）。
【００５５】
制御部１８Ａは、通常再生フラグがＯＮであると判定されると、ディスク再生部１１の再生動作をラスト再生位置から開始することで同ディスクの映像信号をリアモニタ装置２０に再生出力し（ステップＳ１８）、この処理動作を終了する。尚、リア側表示部２２では、ラスト再生位置からの映像信号が順次映像出力されることになる。
【００５６】
制御部１８Ａは、ステップＳ１７にて通常再生フラグがＯＮでない、すなわちＯＦＦであると判定されると、ポーズ再生フラグがＯＮであるか否かを判定する（ステップＳ１９）。
【００５７】
制御部１８Ａは、ポーズ再生フラグがＯＮであると判定されると、ディスク再生部１１のラスト再生位置でのポーズ動作を実行し（ステップＳ２０）、フロント側操作パネル１４又はリア側操作パネル２３からのポーズ解除操作を検出したか否かを判定する（ステップＳ２１）。尚、リア側表示部２２では、ラスト再生位置での映像信号がポーズ状態で映像出力されることになる。
【００５８】
制御部１８Ａは、ポーズ解除操作を検出すると、ディスク再生部１１のポーズ状態を解除し、同ラスト再生位置からの再生動作を開始することで同ディスクの映像信号をリアモニタ装置２０に再生出力し（ステップＳ２２）、この処理動作を終了する。尚、リア側表示部２２では、ラスト再生位置からの映像信号が順次映像出力されることになる。
【００５９】
また、制御部１８Ａは、ステップＳ１９にてポーズ再生フラグがＯＮでない、すなわちＯＦＦであると判定されると、チャプタ型特殊再生フラグがＯＮであるか否かを判定する（ステップＳ２３）。
【００６０】
制御部１８Ａは、チャプタ型特殊再生フラグがＯＮであると判定されると、ステップＳ１４にて取得したディスク情報に基づきチャプタ機能があるか否かを判定する（ステップＳ２４）。
【００６１】
制御部１８Ａは、チャプタ機能があると判定されると、ディスク再生部１１にてラスト再生位置に該当するチャプタ内の先頭再生位置まで巻き戻し、この巻き戻した先頭再生位置からの再生動作を開始することで同ディスクの映像信号をリアモニタ装置２０に再生出力し（ステップＳ２５）、この処理動作を終了する。尚、リア側表示部２２では、巻き戻した再生位置からの映像信号を順次映像出力されることになる。
【００６２】
制御部１８Ａは、ステップＳ２３にてチャプタ型特殊再生フラグがＯＮでない、すなわちＯＦＦであると判定されると、時間型特殊再生フラグがＯＮであるか否かを判定する（ステップＳ２６）。
【００６３】
制御部１８Ａは、時間型特殊再生フラグがＯＮであると判定されると、ディスク再生部１１にてラスト再生位置から所定時間分巻き戻し、この巻き戻した再生位置からの再生動作を開始することで同ディスクの映像信号をリアモニタ装置２０に再生出力し（ステップＳ２７）、この処理動作を終了する。尚、リア側表示部２２では、巻き戻した再生位置からの映像信号を順次映像出力されることになる。
【００６４】
尚、ステップＳ２７においては、ラスト再生位置から所定時間分の巻き戻しを実行するが、この所定時間の巻き戻しができない場合、同ラスト再生位置に該当するチャプタ内の先頭再生位置まで巻き戻し、この巻き戻した先頭再生位置での再生動作を開始するものである。
【００６５】
制御部１８Ａは、ステップＳ２６にて時間型特殊再生フラグがＯＮでない、すなわちＯＦＦであると判定されると、全ての再生フラグがＯＦＦであると判断し、ディスク再生部１１にてラスト再生位置でのポーズ動作を実行すべく、図中のＭ１に移行する。
【００６６】
また、制御部１８Ａは、ステップＳ２４にてチャプタ機能がないと判定されると、ディスク再生部１１によるラスト再生位置でのポーズ動作を実行すべく、ステップＳ２０に移行する。
【００６７】
図３に示すＡＣＣ起動時映像再生処理によれば、ＡＣＣ３０のＯＮ起動時に実行するディスク再生部１１の再生動作を再生フラグ（通常再生フラグ、ポーズ再生フラグ、チャプタ型特殊再生フラグ及び時間型特殊再生フラグ）として予め指定しておき、同再生フラグの設定内容に基づき、ディスク再生部１１を制御するようにしたので、ユーザは、ＡＣＣ３０のＯＮ起動時に関わるディスク再生部１１の動作を適宜選択しておくことができる。
【００６８】
ＡＣＣ起動時映像再生処理によれば、通常再生フラグＯＮ中にＡＣＣ３０のＯＮ起動を検出すると、ディスク再生部１１にてラスト再生位置からの再生動作を開始し、このディスクの映像信号をリアモニタ装置２０に再生出力するようにしたので、ユーザは、ＡＣＣをＯＮ操作するだけで中断前のラスト再生位置からの再生動作を再開することができる。
【００６９】
ＡＣＣ起動時映像再生処理によれば、ポーズ再生フラグＯＮ中にＡＣＣ３０のＯＮ起動を検出すると、ディスク再生部１１にてラスト再生位置でのポーズ動作を実行し、さらにポーズ解除操作を検出すると、同ラスト再生位置からの再生動作を開始し、このディスクの映像信号をリアモニタ装置２０に再生出力するようにしたので、ユーザは、車室内の座席、例えば後部座席に座る前にラスト再生位置からの再生動作が開始されてしまうような事態を確実に防止することができる。
【００７０】
ＡＣＣ起動時映像再生処理によれば、チャプタ型特殊再生フラグＯＮ中にＡＣＣ３０のＯＮ起動を検出すると、ディスク再生部１１にてラスト再生位置に該当するチャプタ内の先頭再生位置まで巻き戻し、この巻き戻した先頭再生位置からの再生動作を開始し、このディスクの映像信号をリアモニタ装置２０に再生出力するようにしたので、ユーザは、車室内の座席、例えば後部座席に座る前にラスト再生位置からの再生動作が開始されてしまうような事態を確実に防止することができる。
【００７１】
ＡＣＣ起動時映像再生処理によれば、時間型特殊再生フラグＯＮ中にＡＣＣ３０のＯＮ起動を検出すると、ディスク再生部１１にてラスト再生位置から所定時間分巻き戻し、この巻き戻した再生位置からの再生動作を開始し、このディスクの映像信号をリアモニタ装置２０に再生出力するようにしたので、ユーザは、車室内の座席、例えば後部座席に座る前にラスト再生位置からの再生動作が開始されてしまうような事態を確実に防止することができる。
【００７２】
本実施の形態によれば、ＡＣＣ３０のＯＮ起動時に実行するディスク再生部１１への複数の再生フラグ、例えば通常再生フラグ、ポーズ再生フラグ、時間型特殊再生フラグ及びチャプタ型特殊再生フラグを予め記憶し、これら複数の再生フラグの内、任意の再生フラグを指定しておき、ＡＣＣ３０のＯＮ起動を検出すると、予め指定した任意の再生フラグに基づき、ディスク再生部１１の再生動作を制御するようにしたので、ＡＣＣ３０のＯＮ起動時に実行するディスク再生部１１の制御動作にバリエーションを持たせ、例えばポーズ再生フラグ、時間型特殊再生フラグ又はチャプタ型特殊再生フラグを指定しておくことで、ＡＣＣ３０がＯＮ起動したとしても、ポーズ再生フラグ、時間型特殊再生フラグ又はチャプタ型特殊再生フラグに基づきディスク再生部１１の制御動作を実行することになり、その結果、ユーザは、車室内の座席、例えば後部座席に座る前にラスト再生位置からの再生動作が開始されてしまうような事態を確実に防止することができる。
【００７３】
本実施の形態によれば、チャプタ型特殊再生フラグの指定中にＡＣＣ３０のＯＮ起動を検出すると、ディスク再生部１１にて再生するディスクの設定内容を確認し、同設定内容にチャプタ機能がない場合はディスク再生部１１の再生動作を一時停止するようにしたので、チャプタ機能がない映像信号に対しても対応可能である。
【００７４】
尚、上記実施の形態においては、車両の後部座席の着座を検出するリアシート監視センサ１７を配置しているため、制御部１８Ａは、ＡＣＣ監視部１８ＢにてＡＣＣ３０のＯＮ起動を検出したとしても、リアシート監視センサ１７による後部座席の着座が検出されない場合は、指定中の再生フラグに関係なく、ディスク再生部１１の再生動作をポーズ状態にするようにしても良く、視聴者である後部座席のユーザが車室内の座席に座る前にラスト再生位置からの再生動作が開始されてしまうような事態を、より一層確実に防止することができる。
【００７５】
また、上記実施の形態においては、図３に示すようにディスク再生部１１の再生動作中にＡＣＣ３０のＯＦＦ操作でディスク再生部１１の再生動作を停止した後、ＡＣＣ３０のＯＮ起動を検出すると、設定中の再生フラグに基づきディスク再生部１１の再生動作を実行するようにしたが、例えばＡＣＣ３０がＯＮ中であっても、リアモニタ装置２０の電源がＯＦＦ操作されると、ディスク再生部１１の再生動作を停止するタイプも考えられる。
【００７６】
そこで、このようなタイプであっても対応可能とする映像再生処理、すなわちリアモニタ起動時映像再生処理について説明する。図４は同リアモニタ起動時映像再生処理に関わる制御部１８Ａの処理動作を示すフローチャートである。尚、図３に示すＡＣＣ起動時映像再生処理と同一の処理動作については、同一符号を付すことで、その重複する構成及び動作の説明について省略する。
【００７７】
図４に示すリアモニタ起動時映像再生処理とは、リアモニタ装置２０の電源ＯＮ起動操作を検出すると、指定中の再生フラグに基づき、ディスク再生部１１の制御動作を実行する処理である。
【００７８】
図４に示す制御部１８Ａは、リアモニタ装置２０の電源ＯＦＦ操作を検出したか否かを判定する（ステップＳ１１Ａ）。
【００７９】
制御部１８Ａは、リアモニタ装置２０の電源ＯＦＦ操作を検出したのであれば、ディスク再生部１１のラスト再生位置をＲＡＭ１５に記憶してディスク再生部１１の再生動作を停止すると共に、リアモニタ装置２０の電源をＯＦＦすることになる（ステップＳ１２Ａ）。
【００８０】
次に制御部１８Ａは、リアモニタ装置２０の電源ＯＮ操作を検出したか否かを判定する（ステップＳ１３Ａ）。
【００８１】
制御部１８Ａは、リアモニタ装置２０の電源ＯＮ操作を検出したのであれば、装着中のディスクのディスク情報を検出すべく、ステップＳ１４に移行し、ステップＳ１４以降の処理動作を実行するものである。
【００８２】
図４に示すリアモニタ起動時映像再生処理によれば、ディスク再生中にリアモニタ装置２０の電源ＯＦＦ操作を検出すると、ディスク再生部１１の再生動作を停止し、さらにリアモニタ装置２０の電源ＯＮ操作を検出すると、リアモニタ装置２０の電源をＯＮ起動し、予め指定した再生フラグに基づき、ディスク再生部１１を制御するようにしたので、ユーザは、リアモニタ装置２０の電源ＯＮ起動時に関わるディスク再生部１１の動作を適宜選択しておくことができる。
【００８３】
リアモニタ起動時映像再生処理によれば、通常再生フラグＯＮ中にリアモニタ装置２０の電源ＯＮ操作を検出すると、ディスク再生部１１にてラスト再生位置からの再生動作を開始し、このディスクの映像信号をリアモニタ装置２０に再生出力するようにしたので、ユーザは、リアモニタ装置２０の電源をＯＮ操作するだけで中断前のラスト再生位置からの再生動作を再開することができる。
【００８４】
リアモニタ起動時映像再生処理によれば、ポーズ再生フラグＯＮ中にリアモニタ装置２０のＯＮ操作を検出すると、ディスク再生部１１にてラスト再生位置でのポーズ動作を実行し、さらにポーズ解除操作を検出すると、同ラスト再生位置からの再生動作を開始し、このディスクの映像信号をリアモニタ装置２０に再生出力するようにしたので、ユーザは、車室内の座席、例えば後部座席に座る前にラスト再生位置からの再生動作が開始されてしまうような事態を確実に防止することができる。
【００８５】
リアモニタ起動時映像再生処理によれば、チャプタ型特殊再生フラグＯＮ中にリアモニタ装置２０のＯＮ操作を検出すると、ディスク再生部１１にてラスト再生位置に該当するチャプタ内の先頭再生位置まで巻き戻し、この巻き戻した先頭再生位置からの再生動作を開始し、このディスクの映像信号をリアモニタ装置２０に再生出力するようにしたので、ユーザは、車室内の座席、例えば後部座席に座る前にラスト再生位置からの再生動作が開始されてしまうような事態を確実に防止することができる。
【００８６】
リアモニタ起動時映像再生処理によれば、時間型特殊再生フラグＯＮ中にリアモニタ装置２０のＯＮ操作を検出すると、ディスク再生部１１にてラスト再生位置から所定時間分巻き戻し、この巻き戻した再生位置からの再生動作を開始し、このディスクの映像信号をリアモニタ装置２０に再生出力するようにしたので、ユーザは、車室内の座席、例えば後部座席に座る前にラスト再生位置からの再生動作が開始されてしまうような事態を確実に防止することができる。
【００８７】
尚、上記実施の形態においては、ディスク再生部１１で再生するディスクとしてＤＶＤやＣＤを想定して説明したが、例えばディスクをＨＤＤと想定した場合、ＨＤＤがイジェクトされることはないため、図３及び図４のステップＳ１５の処理動作は不要となる。
【００８８】
また、上記実施の形態においては、図３及び図４のステップＳ１５にてディスク変更があったか否かを判定する判定処理後に、ステップＳ１６にてリアモニタ装置２０の電源をＯＮ起動するようにしたが、リアモニタ装置２０での映像出力開始直前、例えばステップＳ１８、ステップＳ２０、ステップＳ２５やステップＳ２７の処理の直前でリアモニタ装置２０の電源をＯＮ起動させるようにしても良い。
【産業上の利用可能性】
【００８９】
本発明の車載用映像再生装置によれば、アクセサリ電源のＯＮ起動時に実行する再生手段の制御動作にバリエーションを持たせることができるため、例えば一時停止指示や特殊再生指示を指定しておくことで、アクセサリ電源がＯＮ起動したとしても、一時停止指示や特殊再生指示に基づき再生手段の制御動作を実行することになり、その結果、ユーザは、車室内の座席、例えば後部座席に座る前にラスト再生位置からの再生動作が開始されてしまうような事態を確実に防止することができる車載用映像システムに有用である。
【００９０】
また、本発明の車載用映像再生装置によれば、モニタ表示手段への電源ＯＮ起動時に実行する再生手段の制御動作にバリエーションを持たせることができるため、例えば一時停止指示や特殊再生指示を指定しておくことで、モニタ表示手段への電源ＯＮ起動操作に応じて同電源がＯＮ起動したとしても、一時停止指示や特殊再生指示に基づき再生手段の制御動作を実行することになり、その結果、ユーザは、車室内の座席、例えば後部座席に座る前にラスト再生位置からの再生動作が開始されてしまうような事態を確実に防止することができる車載用映像システムに有用である。
【図面の簡単な説明】
【００９１】
【図１】本発明の車載用映像再生装置に関わる実施の形態を示す車載用映像システム内部の概略構成を示すブロック図である。
【図２】本実施の形態に関わるセンタユニットのＲＡＭのメモリ内容を端的に示す説明図である。
【図３】本実施の形態に関わるセンタユニットのＡＣＣ起動時映像再生処理に関わる制御部の処理動作を示すフローチャートである。
【図４】本実施の形態に関わるセンタユニットのリアモニタ起動時映像再生処理に関わる制御部の処理動作を示すフローチャートである。
【符号の説明】
【００９２】
１  車載用映像システム（車載用映像再生装置）
１１  ディスク再生部（再生手段）
１４  フロント側操作パネル（指定手段）
１５  ＲＡＭ（動作指示記憶手段及びラスト再生位置記憶手段）
１８Ａ  制御部（制御手段及び起動操作検出手段）
１８Ｂ  ＡＣＣ監視部（電源監視手段）
２０  リアモニタ装置（モニタ表示手段）
２３  リア側操作パネル（指定手段）
【図１】
2006092620.tif 000003
【図２】
2006092620.tif 000004
【図３】
2006092620.tif 000005
【図４】
2006092620.tif 000006